(57)【要約】  通信装置は像を捕らえるための光センサを含んでよい。像の中のデータのクラスを識別しまたは選択してデータのクラスに応じて所定の機能を実行するためのプロセッサが提供される。
2007505541.tif 000002
【特許請求の範囲】
【請求項１】
通信装置であって、
像を捕らえるための光センサと、
前記像の中のデータのクラスを識別しまたは選択して前記データのクラスに応じて所定の機能を実行するためのプロセッサと、
を含む通信装置。
【請求項２】
前記光センサは、電荷結合素子、相補型金属酸化膜半導体(ＣＭＯＳ)、カメラの１つを含む、請求項１記載の通信装置。
【請求項３】
前記像の中の画素を復号して前記データのクラスを識別しまたは選択するための前記光センサとプロセッサの１つにより実行可能なコンピュータ実行命令を含むデータ構造を更に含む、請求項１記載の通信装置。
【請求項４】
前記データのクラスは人の目に見えるデータを含む、請求項１記載の通信装置。
【請求項５】
前記像と前記データのクラスの少なくとも１つを表示するためのディスプレイを更に含む、請求項４記載の通信装置。
【請求項６】
前記データのクラスは人の目に見えないデータを含む、請求項１記載の通信装置。
【請求項７】
前記データのクラスは、電話番号、電話番号のリスト、バーコード、ウェブ・サイトへのアクセス情報、コマンドのシーケンス、製品またはサービスに関連する情報の少なくとも１つを含む、請求項１記載の通信装置。
【請求項８】
前記コマンドのシーケンスは通信装置により自動的に実行されるコマンドを含む、請求項７記載の通信装置。
【請求項９】
前記通信装置は携帯電話を含む、請求項８記載の通信装置。
【請求項１０】
前記コマンドのシーケンスはパスワードに応じて通信装置により実行されるコマンドを含む、請求項７記載の通信装置。
【請求項１１】
前記通信装置は携帯電話を含む、請求項１０記載の通信装置。
【請求項１２】
前記パスワードを入力するためのユーザ・インターフェースと音声認識機能の少なくとも１つを更に含む、請求項１０記載の通信装置。
【請求項１３】
前記光センサは、テレビジョン、ビデオ・モニタ、固定媒体の１つからの像を捕らえる、請求項１記載の通信装置。
【請求項１４】
前記所定の機能は、製品またはサービスを注文するための信号を送信すること、１つ以上の像からのデータを復号して通信装置を再プログラミングすること、通信装置準備パラメータをダウンロードすること、１つ以上の電話番号を記憶すること、呼を確立すること、ウェブ・サイトまたは電子メール・アドレスに関連する情報を記憶すること、ウェブ・サイトにアクセスすること、電子メール・メッセージを送ることの１つを含む、請求項１記載の通信装置。
【請求項１５】
製品またはサービスを注文するための信号を送信することは、購入者に関連する情報をそれぞれ含むショート・メッセージ・サービス（ＳＭＳ）メッセージ、電子メール・メッセージ、音声またはデータ・メッセージの１つを送ることを含む、請求項１４記載の通信装置。
【請求項１６】
前記像からの前記データのクラスを選択すること、前記データのクラスを編集すること、前記クラス・データを記憶すること、前記データのクラスを送信することの少なくとも１つのためのユーザ・インターフェースを更に含む、請求項１記載の通信装置。
【請求項１７】
通信装置であって、
像を捕らえるための光センサと、
プロセッサであって、前記光センサと前記プロセッサと移動体システムの１つに関連して動作するデータ構造は前記像の中のデータのクラスを識別しまたは選択するためのコンピュータ実行命令を含む、プロセッサと、
前記データのクラスに応じて所定の機能を実行するためのプロセッサに関連して動作する別のデータ構造と、
前記データのクラスに応じて信号を送信するための送信機と、
を含む通信装置。
【請求項１８】
前記光センサと前記プロセッサと移動体システムの１つに関連して動作する前記データ構造は、前記像の中の画素を復号して前記データのクラスを識別しまたは選択するための前記光センサと前記プロセッサと前記移動体システムの１つにより実行可能なコンピュータ実行命令を含む、請求項１７記載の通信装置。
【請求項１９】
前記像と前記データのクラスの少なくとも１つを記憶するための記憶装置を更に含む、請求項１７記載の通信装置。
【請求項２０】
前記像と前記データのクラスの少なくとも１つを表示するためのディスプレイを更に含む、請求項１７記載の通信装置。
【請求項２１】
前記像からの前記データのクラスを選択するための少なくとも１つの機能ボタンを更に含む、請求項２０記載の通信装置。
【請求項２２】
前記像からの前記クラス・データを選択するための指示装置を更に含む、請求項２１記載の通信装置。
【請求項２３】
前記像からの前記クラス・データを選択すること、前記データのクラスを編集すること、前記データのクラスを記憶すること、前記データのクラスを送信することの少なくとも１つのためのユーザ・インターフェースを更に含む、請求項１７記載の通信装置。
【請求項２４】
前記データのクラスは、電話番号、電話番号のリスト、ウェブ・サイトへのアクセス情報、コマンドのシーケンス、製品またはサービスに関連する情報の少なくとも１つを含む、請求項１７記載の通信装置。
【請求項２５】
前記所定の機能は、製品またはサービスを注文するための信号を送信すること、１つ以上の像からのデータを復号して通信装置を再プログラミングすること、通信装置準備パラメータをダウンロードすること、１つ以上の電話番号を記憶すること、通信を確立すること、ウェブ・サイトまたは電子メール・アドレスに関連する情報を記憶すること、ウェブ・サイトにアクセスすること、電子メール・メッセージを送ることの１つを含む、請求項１７記載の通信装置。
【請求項２６】
通信装置であって、
音響信号を受信するためのマイクロホンと、
前記音響信号からのデータのクラスを復号して前記データのクラスに応じて所定の機能を実行するためのプロセッサと、
を含む通信装置。
【請求項２７】
前記データのクラスは、電話番号、電話番号のリスト、バーコード、ウェブ・サイトへのアクセス情報、コマンドのシーケンス、製品またはサービスに関連する情報の少なくとも１つを含む、請求項２６記載の通信装置。
【請求項２８】
前記コマンドのシーケンスは通信装置により自動的に実行可能なコマンドを含む、請求項２７記載の通信装置。
【請求項２９】
前記コマンドのシーケンスはパスワードに応じて通信装置により実行可能なコマンドを含む、請求項２７記載の通信装置。
【請求項３０】
前記パスワードを入力するためのユーザ・インターフェースと音声認識装置の少なくとも１つを更に含む、請求項２９記載の通信装置。
【請求項３１】
前記所定の機能は、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、通信を確立すること、ウェブ・サイトにアクセスすること、電子メール・メッセージを送ることの１つを含む、請求項２６記載の通信装置。
【請求項３２】
通信方法であって、
像を捕らえ、
前記像の中のデータのクラスを識別しまたは選択し、
前記データのクラスに応じて所定の機能を実行する、
ことを含む通信方法。
【請求項３３】
前記像の中の画素を復号して前記データのクラスを識別しまたは選択することを更に含む、請求項３２記載の通信方法。
【請求項３４】
前記像と前記データのクラスの少なくとも１つを表示することを更に含む、請求項３２記載の通信方法。
【請求項３５】
前記データのクラスを識別しまたは選択することは、電話番号、電話番号のリスト、バーコード、ウェブ・サイトへのアクセス情報、コマンドのシーケンス、製品またはサービスに関連する情報の少なくとも１つを識別すること含む、請求項３２記載の通信方法。
【請求項３６】
前記コマンドのシーケンスを自動的に実行することを更に含む、請求項３５記載の通信方法。
【請求項３７】
パスワードに応じて前記コマンドのシーケンスを実行することを更に含む、請求項３５記載の通信方法。
【請求項３８】
音声認識装置とユーザ・インターフェースの少なくとも１つを介して前記パスワードを受信することを更に含む、請求項３５記載の通信方法。
【請求項３９】
前記所定の機能を実行することは、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、電話呼を確立すること、ウェブ・サイトにアクセスすること、電子メール・メッセージを送ることの１つを含む、請求項３２記載の通信方法。
【請求項４０】
製品またはサービスを注文するための信号を送信することは、購入者に関連する情報をそれぞれ含むショート・メッセージ・サービス（ＳＭＳ）メッセージ、電子メール・メッセージ、音声またはデータ・メッセージの１つを送ることを含む、請求項３９記載の通信方法。
【請求項４１】
製品またはサービスを注文するための信号を送信することに応じて購入者情報をデータ源から検索することを更に含む、請求項３９記載の通信方法。
【請求項４２】
前記像からの前記データのクラスを選択すること、前記データのクラスを編集すること、前記データのクラスを記憶すること、前記データのクラスを送信することの少なくとも１つを更に含む、請求項３２記載の通信方法。
【請求項４３】
通信方法であって、
音響信号を受信し、
前記音響信号からのデータのクラスを識別しまたは選択し、
前記データのクラスに応じて所定の機能を実行する、
ことを含む通信方法。
【請求項４４】
前記データのクラスを識別しまたは選択することは、電話番号、電話番号のリスト、バーコード、ウェブ・サイトへのアクセス情報、コマンドのシーケンス、製品またはサービスに関連する情報の少なくとも１つを識別すること含む、請求項４３記載の通信方法。
【請求項４５】
前記コマンドのシーケンスを自動的に実行することを更に含む、請求項４４記載の通信方法。
【請求項４６】
パスワードに応じて前記コマンドのシーケンスを実行することを更に含む、請求項４４記載の通信方法。
【請求項４７】
前記所定の機能を実行することは、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、電話呼を確立すること、ウェブ・サイトにアクセスすること、電子メール・メッセージを送ることの１つを含む、請求項４３記載の通信方法。
【請求項４８】
像を捕らえ、
前記像の中のデータのクラスを識別しまたは選択し、
前記データのクラスに応じて所定の機能を実行する、
ことを含む方法を実行するためのコンピュータ実行命令を有するコンピュータ読取り可能な媒体。
【請求項４９】
前記像の中の画素を復号して前記データのクラスを識別しまたは選択することを更に含む、請求項４８記載の方法を実行するためのコンピュータ実行命令を有するコンピュータ読取り可能な媒体。
【請求項５０】
前記データのクラスを識別しまたは選択することは、電話番号、電話番号のリスト、バーコード、ウェブ・サイトへのアクセス情報、コマンドのシーケンス、製品またはサービスに関連する情報の少なくとも１つを識別すること含む、請求項４８記載の方法を実行するためのコンピュータ実行命令を有するコンピュータ読取り可能な媒体。
【請求項５１】
前記コマンドのシーケンスを自動的に実行することを更に含む、請求項５０記載の方法を実行するためのコンピュータ実行命令を有するコンピュータ読取り可能な媒体。
【請求項５２】
パスワードに応じて前記コマンドのシーケンスを実行することを更に含む、請求項５０記載の方法を実行するためのコンピュータ実行命令を有するコンピュータ読取り可能な媒体。
【請求項５３】
前記所定の機能を実行することは、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、電話呼を確立すること、ウェブ・サイトにアクセスすること、電子メール・メッセージを送ることの１つを含む、請求項４８記載の方法を実行するためのコンピュータ実行命令を有するコンピュータ読取り可能な媒体。
【請求項５４】
製品またはサービスを注文するための信号を送信することは、購入者に関連する情報をそれぞれ含むショート・メッセージ・サービス（ＳＭＳ）メッセージ、電子メール・メッセージ、または音声またはデータ・メッセージの１つを送ることを含む、請求項５３記載の方法を実行するためのコンピュータ実行命令を有するコンピュータ読取り可能な媒体。
【発明の詳細な説明】
【技術分野】
【０００１】
本発明は通信方法と装置とに関するもので、より特定すると、光センサ、電荷結合素子、カメラなどを用いる通信の方法と装置とに関するものである。
【背景技術】
【０００２】
携帯電話などの無線通信装置を含む通信装置は機能の豊富な装置になりつつある。最近の携帯電話モデルの多くは、通常の音声通信に加えてインターネットをサーフィンし、また電子メールやテキスト・メッセージなどを含むデータを送信および受信することができる。無線通信装置や携帯電話などに関連しまたは内蔵される最近の機能の１つはディジタル・カメラである。かかるカメラは通信装置内に組み込むことができるし、または通信装置に電気的に結合できる別個のモジュールでもよい。インターネットや電子メール機能も有するカメラ付き通信装置は、像を捕らえ、またインターネットや電子メールやその他の媒体を介してかかる像を送信することができる。目新しいだけでなく、通信装置に関連するディジタル・カメラや光センサは、有線手段と、赤外線（ＩＲ）や無線周波数（ＲＦ）などの無線手段とに加えて、通信装置または携帯電話により光で通信する手段を提供する。
【発明の開示】
【発明が解決しようとする課題】
【０００３】
しかし、ブルートゥースや無線フィデリティ（ＷｉＦｉ）などのＩＲおよびＲＦ通信は、実時間で動作する能動送信装置がそれぞれ必要であり、また通信装置が範囲内にあることを必要とする。
【課題を解決するための手段】
【０００４】
本発明の或る実施の形態では、通信装置は像を捕らえるための光センサを含んでよい。この装置は、像の中のデータのクラスを識別しまたは選択してデータのクラスに応じて所定の機能を実行するためのプロセッサも含む。
【０００５】
本発明の別の実施の形態では、通信装置は像を捕らえる光センサを含んでよい。プロセッサも備えてよい。光センサまたはプロセッサまたは移動体システムの１つに関連して動作するデータ構造は、像の中のデータのクラスを識別しまたは選択するためのコンピュータ実行命令を含んでよい。データのクラスに応じて所定の機能を実行するためのプロセッサに関連して動作する別のデータ構造を提供してよい。またこの装置はデータのクラスに応じて信号を送信するための送信機を含んでよい。本発明の１つの実施の形態では、製品またはサービスを注文するために送信機はデータに応じて信号を送信してよい。
【０００６】
本発明の別の実施の形態では、通信装置は音響信号を受信するためのマイクロホンを含んでよい。またこの装置は音響信号からのデータのクラスを復号して、データのクラスに応じて所定の機能を実行するためのプロセッサを含んでよい。
本発明の別の実施の形態では、通信方法は像を捕らえて、像の中のデータのクラスを識別しまたは選択することを含んでよい。この方法はデータのクラスに応じて所定の機能を実行することを更に含んでよい。
【０００７】
本発明の別の実施の形態では、通信方法は音響信号を受信して、音響信号からのデータのクラスを識別しまたは選択することを含んでよい。データのクラスに応じて所定の機能を実行してよい。
本発明の別の実施の形態では、方法を実行するためのコンピュータ実行命令を有するコンピュータ読取り可能な媒体は、像を捕らえて、像の中のデータのクラスを識別しまたは選択することを含んでよい。この方法はデータのクラスに応じて所定の機能を実行することを更に含んでよい。
【実施例】
【０００８】
（発明を実行する最良のモード）
好ましい実施の形態についての以下の詳細な説明は、本発明の特定の実施の形態を示す添付の図面を参照する。異なる構造と動作とを有する他の実施の形態は本発明の範囲から逸れるものではない。
【０００９】
図１は、本発明の或る実施の形態に係る、通信システムまたは媒体１０２に関連して動作する通信装置１００のブロック図である。通信システムまたは媒体１０２は、移動体、無線、セルラ通信システムまたは同様のシステムでよい。通信装置１００はコードレス電話、携帯電話、パーソナル・ディジタル・アシスト（ＰＤＡ）、通報器、コンピュータ装置などでよく、任意の特定の通信標準（高度携帯電話サービス（ＡＭＰＳ）、ディジタル高度携帯電話サービス（Ｄ−ＡＭＰＳ）、移動体通信用グローバル・システム（ＧＳＭ）、符号分割多元接続（ＣＤＭＡ）など）に特有ではない。図１に示すレイアウトは本発明を説明するためのものであり、本発明はいかなる特定の設計にも制限されるものではない。
【００１０】
通信装置１００は、電話やその他の通信を開始しまた行うことを含む通信装置１００の動作の制御を容易にするためのオペレータまたはユーザ・インターフェース１０４を含んでよい。ユーザ・インターフェース１０４は、通信装置１００の状態および動作についての視覚信号を加入者またはユーザに与えるためのディスプレイ１０６を含んでよい。ディスプレイ１０６はカラー像を示すことのできる液晶ディスプレイ（ＬＣＤ）などでよい。ディスプレイ１０６は、像、テキスト、数字、文字、グラフィカル・ユーザ・インターフェース（ＧＵＩ）などの形で情報をユーザまたはオペレータに提供してよい。ユーザ・インターフェース１０４は、キーパッド１０８と、指示装置（ジョイスティックなど）を含む機能キーまたはボタン１１０も含んでよい。キーパッド１０８や機能ボタンおよびジョイスティック１１０によりユーザは通信装置１００にコマンドを与えて、電話番号をダイアルし、呼を開始しまた終了し、他の通信（インターネットへのアクセスなど）を確立し、電子メールやテキスト・メッセージなどを送信および受信する、などを行うことができる。またキーパッド１０８や機能ボタンおよびジョイスティック１１０を用いて通信装置１００の他の動作を制御してよい。
【００１１】
ディスプレイ１０６、キーパッド１０８、機能ボタン１１０は主プロセッサおよび制御論理ユニット１１２に結合してよい。主プロセッサおよび制御論理ユニット１１２はマイクロプロセッサなどでよい。主プロセッサおよび論理ユニット１１２はデータ構造１１４、ソフトウエア・プログラム、コンピュータ・アプリケーションなどを含み、制御信号を符号化しまた復号し、通信手続きやここに述べる他の機能を実行してよい。
【００１２】
ユーザ・インターフェース１０４はマイクロホン１１６およびスピーカ１１８も含んでよい。マイクロホン１１６は、ユーザからまたは音響源１２０（ラジオ、テレビジョンなど）からのオーディオまたは音響信号を受信してよい。マイクロホン１１６はオーディオまたは音響信号を電気信号に変換してよい。マイクロホン１１６は主プロセッサおよび論理ユニット１１２に接続してよく、主プロセッサおよび論理ユニット１１２は電気信号をベースバンド通信信号に変換してよい。主プロセッサおよび制御論理ユニット１１２は送信機１２０に接続してよく、送信機１２０は主プロセッサおよび制御論理ユニット１１２からのベースバンド信号を無線周波数（ＲＦ）信号に変換してよい。送信機１１８は、ＲＦ信号を通信媒体またはシステム１０２に送るためのアンテナ組立体１２２に接続してよい。
【００１３】
アンテナ組立体１２２は無線でＲＦ信号を受信して、ＲＦ信号を受信機１２４に転送してよい。受信機１２４はＲＦ信号をベースバンド信号に変換してよい。ベースバンド信号は主プロセッサおよび制御論理ユニット１１２に与えられ、ここでベースバンド信号を電気信号に変換してよい。プロセッサおよび制御ユニット１１２は電気信号をスピーカ１１８に送り、スピーカ１１８は電気信号を、ユーザが理解できるオーディオ信号に変換してよい。
【００１４】
電源１２６は主プロセッサおよび制御論理ユニット１１２に接続して、通信装置１００の動作のための電力を提供してよい。電源１２６は再充電可能な電池などでよい。通信装置１００は少なくとも１個のデータ記憶装置１２８も含んでよい。データ記憶装置１２８は電話番号のリストを記憶してよい。リストの例として、データ記憶装置１２８の電話帳部などにユーザが自ら入力して記憶する電話番号や、掛からなかったまたは応答がなかった呼の電話番号や、通信装置１００が前に掛けた電話番号などがある。データ記憶装置１２８はコンピュータ読取り可能な媒体で、本発明の実施の形態に関して述べられる特殊な動作や機能を実行するための、コンピュータ実行命令またはコンピュータ使用命令や、データ構造（データ構造１１４など）を記憶してよい。
【００１５】
対象の像など（対象１３３の像１３２など）を捕らえるための光センサ１３０は、通信装置１００の一部として組み込んでもよいし、捕らえた像を送信するために通信装置１００に接続することのできる別個のユニットまたは装置でもよい。対象１３３は、テレビジョン・スクリーン、ビデオ・モニタ、または任意のタイプの固定媒体または印刷された材料の上の像でよい。光センサ１３０は、ディジタル・カメラ、相補型金属酸化膜半導体（ＣＭＯＳ）素子、電荷結合素子（ＣＣＤ）、または同様の素子でよい。光センサ１３０は、ＣＭＯＳ素子やＣＣＤなどが受けた像（像１３２など）に対応する電気信号をディジタル信号に変換するためのアナログ・ディジタル変換器（ＡＤＣ）１３４を含んでよい。ＡＤＣ１３４はディジタル信号をディジタル信号処理プロセッサ（ＤＳＰ）１３６に転送してよい。ＤＳＰ１３６はディジタル化された写真像を処理するためのデータ構造またはソフトウエア・プログラムを含んでよい。ＤＳＰ１３６は像１３２の中のコントラストや細部を調整してよく、また記憶装置（記憶装置１２８など）に記憶するときに、または通信システム１０２を介して送信するときに、像データが占める記憶空間または帯域幅が小さくなるように、像１３２を形成するデータを圧縮してよい。
【００１６】
像１３２はデータのクラス１４０またはデータの所定のタイプを含んでよい。これは、データのクラス１４０に応じて所定の機能または動作を実行するように通信装置１００に指令しまたは命令するのに用いてよい。データのクラス１４０の例として、電話番号、バーコード、ウェブ・サイトへのアクセス情報、電子メール・アドレス、通信装置１００が実行するコマンドのシーケンス、製品またはサービスに関連する情報、任意の上述のまたは他のデータまたは情報の組合せを含んでよいが、これらに限定されるものではない。プロセッサおよび制御論理ユニット１１２はデータのクラス１４０を識別しまたは選択して、所定の機能または動作を実行してよい。データ構造（データ構造１１４の１つなど）は、データのクラス１４０を識別しまたは選択するためのプロセッサ１１２が実行可能なコンピュータ実行命令を含んでよい。プロセッサ１１２は像１３２の中の画素を復号する命令を実行して、データのクラス１４０を識別しまたは選択してよい。データのクラス１４０は、画素を分析しまたは復号しまたデータのクラス１４０を識別するときのプロセッサ１１２の計算負荷を最小にするための特有の記号または文字でよい。この特有の記号または文字は、データのクラス１４０を識別しまたは選択するときの計算オーバーヘッドを更に減らすための選択された色または像１３２の中の所定の位置でもよい。記号または文字の色および位置は、或る動作または機能を実行するためのプロセッサ１１２への省略表現信号を構成してもよい。像から情報、データ、テキストなどを識別し、選択し、または抽出する他の方法は周知であって、例えば、米国特許第６，５１９，３６２号、「カラー像の中にあるテキストを抽出する方法（Ｍｅｔｈｏｄ  ｏｆ  Ｅｘｔｒａｃｔｉｎｇ  Ｔｅｘｔ  Ｐｒｅｓｅｎｔ  ｉｎ  ａ  Ｃｏｌｏｒ  Ｉｍａｇｅ）」または米国特許第５，９９０，９３０号、「テレビジョン電話のための像領域を抽出する法（Ｉｍａｇｅ-Ａｒｅａ  Ｅｘｔｒａｃｔｉｎｇ  Ｍｅｔｈｏｄ  ｆｏｒ  Ｖｉｓｕａｌ  Ｔｅｌｅｐｈｏｎｅ）」に述べられている。
【００１７】
像１３２およびデータのクラス１４０は人の目に見えてよく、またディスプレイ１０６で表示してよい。或る環境では、データのクラス１４０は人の目に見えないデータまたは情報も含んでよい。例えばデータのクラス１４０は、電子あぶりだし（ｓｔｅｇａｎｏｇｒａｐｈｙ）、透かしなどを用いて形成されたサブリミナルでよい。或る環境では、データのクラス１４０はプロセッサ１１２が自動的に識別しまたは選択してよい。別の実施の形態ではまたは別の環境の下では、見える場合は、ユーザが像１３２の中のデータのクラス１４０を選択してよい。ユーザは、キーパッド１０８や機能ボタンまたはジョイスティック１１０を用いてデータのクラス１４０を選択してよい。またユーザは、キーパッド１０８や機能ボタンまたはジョイスティック１１０を用いてデータのクラス１４０を編集し、またはデータ１４０を記憶しまたは送信してよい。
【００１８】
本発明の別の実施の形態では、像１３２を分析してデータのクラス１４０を識別しまたは選択するためのデータ構造（データ構造１１４と同様の）またはコンピュータ実行命令は、光センサ１３０が実行してよい。更に別の実施の形態では、像１３２を分析するために、通信システム１０２にディジタル化された像１３２を送信してよい。通信システム１０２は、データ構造または像１３２の分析を行ってデータのクラス１４０を識別しまたは選択するためのコンピュータ実行命令を含むプロセッサ１４２などを含んでよい。像を分析するときまたは大規模の画素分析を実行するときに通信装置１００内の計算オーバーヘッドを節約するために、像分析はシステム１０２で実行してよい。データのクラス１４０は、任意の所定の機能または動作を行うために通信装置１００に戻してよい。
【００１９】
データのクラス１４０の識別または選択に応じて通信装置１００が実行してよい所定の機能または動作の例としては、製品またはサービスを注文すること、一つ以上の像からのデータを復号して通信装置１００を再プログラミングすること、通信装置準備パラメータをダウンロードすること、一つ以上の電話番号を記憶すること、呼または他の通信を確立すること、ウェブ・サイトまたは電子メール・アドレスに関連する情報を記憶すること、ウェブ・サイトにアクセスすること、電子メール・メッセージを送ること、などの動作を含んでよいがこれらに限定されるものではない。通信装置１００は通信システム１０２を介してネットワーク１４４（インターネットやその他のネットワークなど）に接続して、ウェブ・サイトにアクセスし、また電子メールやテキスト・メッセージやその他の通信を送信および受信してよい。また通信装置１００は、通信装置１００がその中で現在動作している通信システム１０２を介して、公衆交換電話網（ＰＳＴＮ）１４６または他の移動体システム（図１に示していない）に接続してよい。
【００２０】
また通信装置１００は、通信システム１０２を介してデータ源１４８に接続してよい。データ源１４８は、像１３２の中で識別されまたは選択されたクラス・データ１４０に関係する動作または機能に応じて通信装置１００に送られまたはダウンロードされる情報またはデータのための、インターネットまたはその他のリポジトリでよい。例えばデータ源１４８は、購入決定を行うときにユーザに送られる製品またはサービスに関する情報を含んでよい。
【００２１】
通信媒体またはシステム１０２は、ネットワーク（インターネット、専用ネットワークなど）でよい。通信システム１０２は、一つ以上の陸上通信チャンネルまたはリンクと、一つ以上の宇宙空間通信チャンネルまたはリンクとを含んでよい。別の実施の形態では、通信システム１０２は、例えば、専用通信線、電話網、無線データ伝送システム、双方向ケーブル・システム、カストマイズされたコンピュータ網、会話型キオスク網などを含む任意の通信システムでよい。
【００２２】
また通信装置１００は音声認識システム１５０または機能を含んでよい。音声認識システム１５０は、ハードウエア、ソフトウエア、ファームウエア、これらの組合せなどで実現してよく、プロセッサおよび制御論理ユニット１１２に関連して動作してよい。音声認識システム１５０はマイクロホン１１６に結合し、ユーザまたはオペレータが音声コマンドにより通信装置１００の動作を制御して、通信を確立しまたは他の動作または機能を実行できるようにしてよい。またマイクロホン１１６は任意の音響源１５８から音響またはオーディオ信号を受けて、通信装置１００の動作を制御し、また光センサ１３０が受ける光信号または像に関して上に説明したのと同様にして通信を確立してよい。音響源１５８は、例えばテレビジョン、ラジオ、人の声などでよい。このように、通信装置１００は光信号または像または音響信号を受けて通信装置１００の動作を制御して、データのクラスに応じて所定の機能を実行してよい。
【００２３】
通信装置１００はインターネットにアクセスするためのブラウザ１５２も含んでよい。ブラウザ１５２はプロセッサおよび制御論理ユニット１１２上で動作してよい。ブラウザ１５２は、ネットスケープ７、マイクロソフト７インターネット・エクスプロラなどと同様でよい。
【００２４】
図２は本発明の或る実施の形態に係る通信のための方法２００の一例の流れ図である。方法２００は通信装置（図１の装置１００など）の中でデータ構造（データ構造１１４の１つなど）の形で実現され、対象の像から識別されまたは選択されたデータのクラスまたはデータの所定の集合またはグループに応じて所定の機能を実行してよい。ブロック２０２で、機能すなわち方法２００は通信装置のユーザまたはオペレータにより可能になる、すなわち活動化される。機能すなわち方法２００は、ディスプレイ（ディスプレイ１０６など）でユーザに示されるメニュー内の機能を選択することにより可能になる。
【００２５】
ブロック２０４で対象の像が捕らえられる。ブロック２０６で、像の中のデータのクラスまたはデータの所定の集合が識別されまたは選択される。図１の通信装置１００に関して述べたように、データのクラスは像の分析により自動的に識別されまたは選択される。本発明の別の実施の形態では、または環境により、データのクラスまたは関心のあるデータは、キーパッド、機能ボタンなど（図１の通信装置１００のキーパッド１０８または機能ボタン１１０と同様の）を用いてユーザにより選択される。像の中のデータのクラスまたは関心のあるデータの例として、電話番号、電話番号のリスト、バーコード、ウェブ・サイトへのアクセス情報、コマンドのシーケンス、製品またはサービスに関連する情報、などがあるがこれらに限定されるものではない。データのクラスがコマンドのシーケンスである場合は、コマンドは自動的に実行されるか、または本発明の別の実施の形態では、有効なパスワードまたはコードを入力することをユーザは要求される。またデータのクラスは前に説明したように特有の記号または文字でよく、識別されまたは選択されたときに所定の機能を実行するよう通信装置に命令してよい。
【００２６】
ブロック２０８で、データのクラスに応じて通信装置は所定の機能を実行してよい。所定の機能の例として、製品またはサービスを注文するための信号を送信すること、一つ以上の像からのデータを復号して通信装置を再プログラミングすること、通信準備パラメータをダウンロードすること、一つ以上の電話番号を記憶すること、通信または呼を確立すること、ウェブ・サイトまたは電子メール・アドレスに関連する情報を記憶すること、ウェブ・サイトにアクセスすること、電子メールまたはテキスト・メッセージを送ること、などがあるがこれらに限定されるものではない。所定の機能または動作が信号またはメッセージを送信することを含む場合は、メッセージは書式化されて、通信装置によりショート・メッセージ・サービス（ＳＭＳ）、電子メール、テキスト・メッセージング、音声またはデータ通信で送られる。
【００２７】
図３Ａおよび３Ｂは本発明の別の実施の形態に係る通信のための方法３００の例の流れ図である。方法３００は通信装置（図１の装置１００など）の中でデータ構造（データ構造１１４の１つなど）の形で実現され、対象の像から識別されまたは選択されたデータのクラスまたはデータの所定の集合またはグループに応じて所定の機能を実行してよい。ブロック３０２で、機能すなわち方法３００は可能になる、すなわち活動化される。方法３００は、ディスプレイ（ディスプレイ１０６(図１)など）上に示されるメニュー内の機能をユーザが選択することにより可能になる。ブロック３０４で像が捕らえられ、ブロック３０６で像がディスプレイ（ディスプレイ１０６など）上に表示される。
【００２８】
ブロック３０８で、前に述べたのと同様に像の中のデータのクラスが識別されまたは選択される。決定ブロック３１０で、ブロック３０８でデータが選択されまたは識別されたかどうか判定が行われる。ブロック３０８でデータが選択されまたは識別されなかった場合は、方法３００は終端３１１で終了してよい。ブロック３０８でデータが識別されまたは選択された場合は、方法３００はブロック３１２に進み、選択されたデータまたは情報が表示される。ブロック３１４でユーザは、表示された情報またはデータが受入れ可能か、すなわち望ましいものかどうか選択してよい。否定の場合は、ブロック３１６で情報は編集される。ブロック３１６で情報またはデータが編集されない場合は、方法３００は終端３１８で終了する。ブロック３１４でデータまたは情報が受入れ可能な場合、またはブロック３１６で編集された場合は、ブロック３２０で、データまたは情報を保存するかどうかのオプションがユーザに示される。ユーザが肯定的に応答すると、ブロック３２２で像データは記憶装置内に保存される。像データは記憶装置（図１の記憶装置１２８など）内に記憶される。
【００２９】
ブロック３２２でデータを保存した後、またはブロック３２０でデータを保存しないことを選択した後、ブロック３２４で、像からのデータを処理するかどうかのオプションがユーザに示される。データを処理しないことをユーザが選択した場合は、方法３００は終端３２６で終了する。ブロック３２４でデータを処理することをユーザが選択した場合は、ブロック３２８で、パスワードを入力することをユーザは要求される。決定ブロック３３０で、入力されたパスワードが有効かどうか判定が行われる。パスワードが無効の場合はユーザはその旨を知らされて、有効なパスワードを入力する機会を与えられる（図３には示していない）。または、パスワードが無効の場合は、または有効なパスワードを入力しようとする試みが所定の回数行われた後に、方法３００は終端３３２で終了する。入力されたパスワードが有効な場合は、ブロック３０８で識別されまたは選択されたデータのクラスに応じて、ブロック３３４で所定の機能が実行される。所定の機能は、データ内に含まれる命令を通信装置が実行することを含んでよい。
【００３０】
図４Ａ，４Ｂ，４Ｃ，４Ｄ，４Ｅ，４Ｆは、本発明の別の実施の形態に係る通信のための方法４００の一例の流れ図である。方法４００は図１の装置１００内でデータ構造（データ構造１１４の１つなど）の形で実現され、像から識別されまたは選択されたデータのクラスに応じて所定の機能を実行してよい。ブロック４０２で、通信装置（装置１００（図１）など）は機能すなわち方法４００を実行することが可能になる。ブロック４０４で、対象の像が光素子（光素子１３０など）で捕らえられる。ブロック４０６で像が表示される。ブロック４０８で、前に述べたのと同様に像の中の所定のデータのクラスが選択されまたは識別される。ブロック４１０で、データが電話番号に対応するかどうか自動的にまたはユーザにより判定が行われる。ブロック４１２でデータが電話番号であると判定された場合は、ブロック４１２で、スピーカ（図１のスピーカ１１８など）からのオーディオ・メッセージ、またはディスプレイ（ディスプレイ１０６など）上に表示された視覚メッセージが、ユーザは電話番号を保存したいかどうか尋ねる。
【００３１】
ブロック４１２でユーザが肯定的に応答した場合は、電話番号は記憶装置（記憶装置１２８などと同様の）内に保存され、記憶装置１２８の電話帳部内に記憶される。電話番号が記憶されるかどうかにかかわらず、ブロック４１６で、ユーザがその番号に電話を掛けたいかどうか入力することを、オーディオまたは視覚メッセージでユーザは要求される。ユーザが否定的に応答した場合は、方法４００は終端４１８で終了する。ブロック４１６でユーザが肯定的に応答した場合は、ブロック４２０で、ユーザはパスワードを入力することを要求される。ブロック４２２で、有効なパスワードが入力されたかどうか判定が行われる。有効なパスワードを入力する試みを所定の回数行う機会がユーザに与えられた後に、方法４００は終端４２４で終了する。ブロック４２２で有効なパスワードが入力されたと判定された場合は、ブロック４２６で、通信が確立されまたは呼が開始される。選択されまたは識別されたデータは、ブロック４２８で通信装置がデータのクラスに応じて実行する命令も含んでよい。
【００３２】
ブロック４１０（図４Ａ）に戻って、データが電話番号でないと判定された場合は、方法４００はブロック４３０（図４Ｃ）に進み、データがバーコードかどうかの判定が行われる。データがバーコードである場合は、ブロック４３２で、バーコードに対応する情報がアクセスされる。バーコードに対応する情報は、前に説明したように通信装置（装置１００など）がウェブ・ページやデータ源などにアクセスすることによりアクセスされる。ブロック４３４で、バーコードに対応する情報がユーザに表示されまたは示される。ブロック４３６で、情報を保存したいかどうかユーザは入力することを要求される。入力することをユーザは、ディスプレイ（図１のディスプレイ１０６など）に表示されるメッセージか、スピーカ（スピーカ１１８など）からのオーディオ信号により要求される。ブロック４３６でユーザが肯定的に応答した場合は、ブロック４３８で情報は保存される。
【００３３】
ブロック４４０で、識別されまたは選択されたデータのクラスまたは情報が製品またはサービスに関係する場合は、要求すなわち購入を開始したいかどうかを入力することをユーザはオーディオまたは視覚メッセージにより要求される。ブロック４４０でユーザが否定的に応答した場合は、方法４００は終端４４２で終了する。ブロック４４０でユーザが肯定的に応答した場合は、ブロック４４４で、パスワードを入力することをユーザは要求される。ブロック４４６で、入力されたパスワードが有効であるかどうかチェックが行われる。パスワードが無効の場合か、またはユーザが有効なパスワードの入力を所定の回数試みたが失敗した場合は、方法４００は終端４４８で終了する。ブロック４４６で入力されたパスワードが有効である場合は、ブロック４５０で、まだされていない場合は通信が確立される。ブロック４５２で、要求者すなわち購入者の情報が販売者すなわち提供者に送られる。購入者情報は連絡情報（郵送アドレス、電子メール、電話番号など）や他の情報（クレジット・カード番号、または製品またはサービスを買うための他の手段など）を含んでよい。
【００３４】
ブロック４３０に戻って、データがバーコードでない場合は、方法４００はブロック４５４（図４Ｄ）に進む。ブロック４５４で、データが製品かサービスかまたは他の項目に関係するかどうか判定が行われる。ブロック４５４でデータがかかる項目に関係する場合は、ブロック４５６で、ユーザまたは購入者は製品かサービスかまたはその他の項目の選択を行う。ユーザまたは購入者が選択を行うために、利用可能な製品やサービスなどが図１のディスプレイ１０６などに表示される。ブロック４５８で、選択された製品やサービスなどに関係する情報を保存したいかどうかを入力することをユーザは視覚的に、聴覚的に、またはその組合せにより要求される。応答が肯定的な場合は、ブロック４６０で、選択された情報が記憶装置（記憶装置１２８（図１）など）内に記憶される。
【００３５】
ブロック４５８で選択された情報を記憶するとユーザが決定したかどうかにかかわらず、ブロック４６２で、選択された製品やサービスなどを購入すなわち注文したいかどうか入力することをユーザは要求される。ブロック４６２での入力要求への応答が否定的な場合は、方法４００は終端４６４で終了する。ブロック４６２での入力要求への応答が肯定的な場合は、ブロック４６６でパスワードを入力することをユーザは要求される。ブロック４６８で、パスワードが有効かどうかの判定が行われる。パスワードが無効の場合、またはユーザが有効なパスワードの入力を所定の回数試みたが失敗した場合は、方法４００は終端４７０で終了する。有効なパスワードが入力された場合は、ブロック４７２で通信が確立され、ブロック４７４で購入者情報が販売者すなわち提供者に送られる。前に説明したように、購入者情報は連絡情報（郵送アドレス、電子メール・アドレス、電話番号）や、クレジット・カードや、必要であれば他の購入情報を含んでよい。
【００３６】
ブロック４５４(図４Ｄ)に戻って、データが製品またはサービスまたは他の項目に関係ない場合は、方法４００はブロック４７６(図４Ｅ)に進む。ブロック４７６で、ブロック４０８(図４Ａ)で識別されまたは選択されたデータのクラスがウェブ・サイト情報かどうか判定が行われる。ブロック４７６で応答が肯定的の場合は、ブロック４７８で、ウェブ・サイト情報を保存するかどうか入力することをユーザは要求される。応答が肯定的の場合は、ブロック４８０で、ウェブ・サイト情報が記憶される。ブロック４８２で、ウェブ・サイトにアクセスするかどうか入力することをユーザは要求される。応答が否定的の場合は、方法４００は終端４８３で終了する。応答が肯定的の場合は、ブラウザ（図１のブラウザ１５２など）を介してウェブ・サイトがアクセスされる。
【００３７】
ブロック４７６(図４Ｅ)に戻って、データがウェブ・サイトにアクセスする情報でない場合は、方法４００はブロック４８６（図４Ｆ）に進んでよい。ブロック４８６で、識別されまたは選択されたデータが電子メール・アドレスに対応するかどうか判定が行われる。ブロック４８６でデータが電子メール・アドレスでない場合は、この方法はブロック４８８に進んでよい。ブロック４８８で、ブロック４０８で識別されまたは選択されたデータのクラスに対応する他の機能を実行してよい。ブロック４８６でデータが電子メール・アドレスである場合は、ブロック４９０で、電子メール・アドレスを保存するかどうか入力することをユーザは要求される。ユーザが肯定的に応答した場合は、ブロック４９２で、電子メール・アドレスは記憶装置（図１の記憶装置１２８と同様な）内に保存される。ブロック４９４で、電子メールを送りたいかどうか入力することをユーザは要求される。送りたくない場合は、方法４００は終端４９６で終了する。ブロック４９４で電子メールを送りたいとユーザが応答した場合は、ブロック４９８で、ユーザが電子メールを作成して送るための電子メール・アプリケーションなどを開始してよい。電子メール・アプリケーションは図１に示すデータ構造１４４の一部でよい。
【００３８】
図４を参照して述べた種々の動作または機能は任意の特定の順序で実行する必要はない。上述の順序は本発明を記述するために単にたまたま述べたものである。図４の任意のプロンプトで情報やパスワードなどを選択しまたは入力することをユーザが要求されると、これに応えてユーザはキーパッドまたは機能ボタン（図１のキーパッド１０８または機能ボタン１１０と同様の）を操作してよい。または、通信装置に機能が備わっている場合は、ユーザは音声認識システムなど（図１の音声認識システム１５０など）を用いて任意のプロンプトに対して音響的に応えてよい。
【００３９】
図５は、本発明の別の実施の形態に係る通信のための方法５００の例示の流れ図である。方法５００は図１の装置１００の中でデータ構造（データ構造１１４の１つなど）の形で実現され、音響信号から識別されまたは選択されたデータのクラスに応じて所定の機能を実行してよい。ブロック５０２で、機能すなわち方法５００は通信装置により動作が可能になる、すなわち活動化される。ブロック５０４で、装置は音響信号を受ける。ブロック５０６で、音響信号からのデータのクラスが識別されまたは選択される。データのクラスの例として、電話番号、電話番号のリスト、バーコード、ウェブ・サイトへのアクセス情報、コマンドのシーケンス、製品またはサービスに関連する情報などがあるが、これらに限定されるものではない。
【００４０】
データのクラスがコマンドのシーケンスである場合はコマンドは自動的に実行される。または本発明の別の実施の形態では、有効なパスワードまたはコードを入力することをユーザは要求される。ブロック５０８で、データのクラスに応じて所定の機能が実行される。所定の機能または動作の例として、製品またはサービスを注文すること、音響信号からのデータを復号して通信装置（装置１００など）を再プログラミングすること、通信装置準備パラメータをダウンロードすること、一つ以上の電話番号を記憶すること、呼または通信を確立すること、ウェブ・サイトまたは電子メール・アドレスに関連する情報を記憶すること、ウェブ・サイトにアクセスすること、電子メール・メッセージを送ることなどの操作があるが、これらに限定されるものではない。
【００４１】
本発明の要素は、ハードウエアおよび/またはソフトウエア（ファームウエア、常駐ソフトウエア、マイクロコードなどを含むコンピュータ・プログラム・コードなど）で実現してよい。また、方法２００，３００，４００，５００などの本発明の要素は、装置またはシステム（図１の装置１００またはシステム１０２など）がまたは装置またはシステムに関して用いるための、媒体内で実現されるコンピュータ使用可能なまたはコンピュータ読取り可能なプログラム・コードを有するコンピュータ使用可能なまたはコンピュータ読取り可能な記憶媒体上のコンピュータ・プログラム製品の形をとってよい。かかる媒体の例は図１にネットワーク１４４、データ源１４８、または同様の装置として示されている。コンピュータ使用可能なまたは読取り可能な媒体は、装置またはシステムがまたは装置またはシステムに関して用いるためのプログラムを、含み、記憶し、通信し、または転送する任意の媒体でよい。媒体は例えば、電子的、磁気的、光学的、電磁的、赤外線、半導体システムなどでよい。媒体は単に、コンピュータ・プログラム製品がインターネットなどのネットワークを通して「ダウンロードされる」ときに検索される情報のストリームでもよい。またコンピュータ使用可能なまたは読取り可能な媒体は、プログラムがその上にプリントされる紙またはその他の適当な媒体でもよい。
【００４２】
本発明について無線通信装置などに関して説明したが、本発明に関して述べた機能は有線システムまたはネットワークに接続する通信装置にも適用することができる。ここでは特定の実施の形態を図示して説明したが、当業者が認識するように、同じ目的を達成するよう設計された全ての装置はここに示した特定の実施の形態に代わるものであり、また本発明は別の環境内で別のアプリケーションを有するものである。本出願は本発明の全ての適用または変形をカバーするものである。クレームは本発明の範囲をここに述べた特定の実施の形態に限定するものではない。
【図面の簡単な説明】
【００４３】
【図１Ａ】本発明に係る通信装置と通信のためのシステムまたは媒体のブロック図である。図１Ａ、図１Ｂ（まとめて図１）
【図１Ｂ】本発明に係る通信装置と通信のためのシステムまたは媒体のブロック図である。図１Ａ、図１Ｂ（まとめて図１）
【図２】本発明の或る実施の形態に係る通信方法の一例の流れ図である。
【図３Ａ】本発明の別の実施の形態に係る通信方法の一例の流れ図である。図３Ａ、図３Ｂ（まとめて図３）
【図３Ｂ】本発明の別の実施の形態に係る通信方法の一例の流れ図である。図３Ａ、図３Ｂ（まとめて図３）
【図４Ａ】本発明の別の実施の形態に係る通信方法の一例の流れ図である。図４Ａ、４Ｂ、４Ｃ、４Ｄ、４Ｅ、４Ｆ（まとめて図４）
【図４Ｂ】本発明の別の実施の形態に係る通信方法の一例の流れ図である。図４Ａ、４Ｂ、４Ｃ、４Ｄ、４Ｅ、４Ｆ（まとめて図４）
【図４Ｃ】本発明の別の実施の形態に係る通信方法の一例の流れ図である。図４Ａ、４Ｂ、４Ｃ、４Ｄ、４Ｅ、４Ｆ（まとめて図４）
【図４Ｄ】本発明の別の実施の形態に係る通信方法の一例の流れ図である。図４Ａ、４Ｂ、４Ｃ、４Ｄ、４Ｅ、４Ｆ（まとめて図４）
【図４Ｅ】本発明の別の実施の形態に係る通信方法の一例の流れ図である。図４Ａ、４Ｂ、４Ｃ、４Ｄ、４Ｅ、４Ｆ（まとめて図４）
【図４Ｆ】本発明の別の実施の形態に係る通信方法の一例の流れ図である。図４Ａ、４Ｂ、４Ｃ、４Ｄ、４Ｅ、４Ｆ（まとめて図４）
【図５】本発明の別の実施の形態に係る通信方法の一例の流れ図である。
【図１】
2007505541.tif 000003
【図１Ａ】
2007505541.tif 000004
【図１Ｂ】
2007505541.tif 000005
【図２】
2007505541.tif 000006
【図３Ａ】
2007505541.tif 000007
【図３Ｂ】
2007505541.tif 000008
【図４Ａ】
2007505541.tif 000009
【図４Ｂ】
2007505541.tif 000010
【図４Ｃ】
2007505541.tif 000011
【図４Ｄ】
2007505541.tif 000012
【図４Ｅ】
2007505541.tif 000013
【図４Ｆ】
2007505541.tif 000014
【図５】
2007505541.tif 000015
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
通信装置であって、
像を捕らえるための光センサと、
前記像の中の画素を分析して前記像の中のデータのクラスを自動的に識別しまたは選択して前記データのクラスに応じて所定の機能を実行するためのプロセッサと、
を含む通信装置。
【請求項２】
前記データのクラスは人の目に見えるデータを含む、請求項１記載の通信装置。
【請求項３】
前記像と前記データのクラスの少なくとも１つを表示するためのディスプレイを更に含む、請求項２記載の通信装置。
【請求項４】
前記データのクラスは人の目に見えないデータを含む、請求項１記載の通信装置。
【請求項５】
前記データのクラスは、電話番号、電話番号のリスト、バーコード、ウェブ・サイトへのアクセス情報、コマンドのシーケンス、製品またはサービスに関連する情報の少なくとも１つを含む、請求項１記載の通信装置。
【請求項６】
前記コマンドのシーケンスは通信装置により自動的に実行されるコマンドを含む、請求項５記載の通信装置。
【請求項７】
前記コマンドのシーケンスはパスワードに応じて通信装置により実行されるコマンドを含む、請求項５記載の通信装置。
【請求項８】
前記パスワードを入力するためのユーザ・インターフェースと音声認識機能の少なくとも１つを更に含む、請求項７記載の通信装置。
【請求項９】
前記光センサは、テレビジョン、ビデオ・モニタ、固定媒体の１つからの像を捕らえる、請求項１記載の通信装置。
【請求項１０】
前記所定の機能は、製品またはサービスを注文するための信号を送信すること、１つ以上の像からのデータを復号して通信装置を再プログラミングすること、通信装置準備パラメータをダウンロードすること、１つ以上の電話番号を記憶すること、呼を確立すること、ウェブ・サイトまたは電子メール・アドレスに関連する情報を記憶すること、ウェブ・サイトにアクセスすること、電子メール・メッセージを送ることの１つを含む、請求項１記載の通信装置。
【請求項１１】
製品またはサービスを注文するための信号を送信することは、購入者に関連する情報をそれぞれ含むショート・メッセージ・サービス（ＳＭＳ）メッセージ、電子メール・メッセージ、音声またはデータ・メッセージの１つを送ることを含む、請求項１０記載の通信装置。
【請求項１２】
前記像からの前記データのクラスを選択すること、前記データのクラスを編集すること、前記クラス・データを記憶すること、前記データのクラスを送信することの少なくとも１つのためのユーザ・インターフェースを更に含む、請求項１記載の通信装置。
【請求項１３】
通信装置であって、
像を捕らえるための光センサと、
プロセッサであって、前記光センサと前記プロセッサと移動体システムの１つに関連して動作するデータ構造は前記像の中の画素を分析して前記像の中のデータのクラスを自動的に識別しまたは選択するためのコンピュータ実行命令を含む、プロセッサと、
前記データのクラスに応じて所定の機能を実行するためのプロセッサに関連して動作する別のデータ構造と、
前記データのクラスに応じて信号を送信するための送信機と、
を含む通信装置。
【請求項１４】
前記像と前記データのクラスの少なくとも１つを記憶するための記憶装置を更に含む、請求項１３記載の通信装置。
【請求項１５】
前記像と前記データのクラスの少なくとも１つを表示するためのディスプレイを更に含む、請求項１３記載の通信装置。
【請求項１６】
前記像からの前記データのクラスを選択するための少なくとも１つの機能ボタンを更に含む、請求項１５記載の通信装置。
【請求項１７】
前記像からの前記クラス・データを選択するための指示装置を更に含む、請求項１６記載の通信装置。
【請求項１８】
前記像からの前記クラス・データを選択すること、前記データのクラスを編集すること、前記データのクラスを記憶すること、前記データのクラスを送信することの少なくとも１つのためのユーザ・インターフェースを更に含む、請求項１３記載の通信装置。
【請求項１９】
前記データのクラスは、電話番号、電話番号のリスト、ウェブ・サイトへのアクセス情報、コマンドのシーケンス、製品またはサービスに関連する情報の少なくとも１つを含む、請求項１３記載の通信装置。
【請求項２０】
前記所定の機能は、製品またはサービスを注文するための信号を送信すること、１つ以上の像からのデータを復号して通信装置を再プログラミングすること、通信装置準備パラメータをダウンロードすること、１つ以上の電話番号を記憶すること、通信を確立すること、ウェブ・サイトまたは電子メール・アドレスに関連する情報を記憶すること、ウェブ・サイトにアクセスすること、電子メール・メッセージを送ることの１つを含む、請求項１３記載の通信装置。
【請求項２１】
通信方法であって、
像を捕らえ、
前記像の中の画素を分析し、
前記画素の分析から前記像の中のデータのクラスを自動的に識別しまたは選択し、
前記データのクラスに応じて所定の機能を実行する、
ことを含む通信方法。
【請求項２２】
前記像と前記データのクラスの少なくとも１つを表示することを更に含む、請求項２１記載の通信方法。
【請求項２３】
前記データのクラスを識別しまたは選択することは、電話番号、電話番号のリスト、バーコード、ウェブ・サイトへのアクセス情報、コマンドのシーケンス、製品またはサービスに関連する情報の少なくとも１つを識別すること含む、請求項２１記載の通信方法。
【請求項２４】
前記コマンドのシーケンスを自動的に実行することを更に含む、請求項２３記載の通信方法。
【請求項２５】
パスワードに応じて前記コマンドのシーケンスを実行することを更に含む、請求項２３記載の通信方法。
【請求項２６】
音声認識装置とユーザ・インターフェースの少なくとも１つを介して前記パスワードを受信することを更に含む、請求項２３記載の通信方法。
【請求項２７】
前記所定の機能を実行することは、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、電話呼を確立すること、ウェブ・サイトにアクセスすること、電子メール・メッセージを送ることの１つを含む、請求項２１記載の通信方法。
【請求項２８】
製品またはサービスを注文するための信号を送信することは、購入者に関連する情報をそれぞれ含むショート・メッセージ・サービス（ＳＭＳ）メッセージ、電子メール・メッセージ、音声またはデータ・メッセージの１つを送ることを含む、請求項２７記載の通信方法。
【請求項２９】
製品またはサービスを注文するための信号を送信することに応じて購入者情報をデータ源から検索することを更に含む、請求項２７記載の通信方法。
【請求項３０】
前記像からの前記データのクラスを選択すること、前記データのクラスを編集すること、前記データのクラスを記憶すること、前記データのクラスを送信することの少なくとも１つを更に含む、請求項２１記載の通信方法。
【請求項３１】
像を捕らえ、
前記像を形成する画素を分析し、
前記画素の分析から前記像の中のデータのクラスを自動的に識別しまたは選択し、
前記クラスに応じて所定の機能を実行する、
ことを含む方法を実行するためのコンピュータ実行命令を有するコンピュータ読取り可能な媒体。
【請求項３２】
前記データのクラスを識別しまたは選択することは、電話番号、電話番号のリスト、バーコード、ウェブ・サイトへのアクセス情報、コマンドのシーケンス、製品またはサービスに関連する情報の少なくとも１つを識別すること含む、請求項３１記載の方法を実行するためのコンピュータ実行命令を有するコンピュータ読取り可能な媒体。
【請求項３３】
前記コマンドのシーケンスを自動的に実行することを更に含む、請求項３２記載の方法を実行するためのコンピュータ実行命令を有するコンピュータ読取り可能な媒体。
【請求項３４】
パスワードに応じて前記コマンドのシーケンスを実行することを更に含む、請求項３２記載の方法を実行するためのコンピュータ実行命令を有するコンピュータ読取り可能な媒体。
【請求項３５】
前記所定の機能を実行することは、製品またはサービスを注文するための信号を送信すること、１つ以上の像からのデータを復号して通信装置を再プログラミングすること、通信装置準備パラメータをダウンロードすること、１つ以上の電話番号を記憶すること、ウェブ・サイトまたは電子メール・アドレスに関連する情報を記憶すること、電話呼を確立すること、ウェブ・サイトにアクセスすること、電子メール・メッセージを送ることの１つを含む、請求項３１記載の方法を実行するためのコンピュータ実行命令を有するコンピュータ読取り可能な媒体。
【請求項３６】
製品またはサービスを注文するための信号を送信することは、購入者に関連する情報をそれぞれ含むショート・メッセージ・サービス（ＳＭＳ）メッセージ、電子メール・メッセージ、または音声またはデータ・メッセージの１つを送ることを含む、請求項３５記載の方法を実行するためのコンピュータ実行命令を有するコンピュータ読取り可能な媒体。
【請求項３７】
前記データのクラスは、前記プロセッサが前記画素を分析して前記データのクラスを識別するときの計算負荷を最小にするための特有の記号を含む、請求項１記載の通信装置。
【請求項３８】
前記特有の記号は前記像の中の所定の位置にあって、前記画素を分析するときの計算オーバーヘッドを更に減らす、請求項３７記載の通信装置。
【請求項３９】
前記記号と前記像の中の前記記号の所定の位置と前記記号の色の少なくとも１つは、所定の動作を実行するためのプロセッサへの信号を構成する、請求項３７記載の通信装置。
【請求項４０】
前記データのクラスを特有の記号にし、また前記特有の記号を前記像の中の所定の位置に置くことにより、前記画素を分析するときの計算オーバーヘッドを減らすことを更に含む、請求項２１記載の通信方法。
【請求項４１】
前記特有の記号、前記記号の色、前記像の中の前記記号の所定の位置の少なくとも１つは、前記所定の機能を実行するためのプロセッサへの信号を構成する、請求項４０記載の通信方法。
【国際調査報告】
2007505541.tif 000016
2007505541.tif 000017
2007505541.tif 000018